(57)【要約】【課題】装置の属するサブネットワークに関係なく、他の装置との一過性の装置間通信を行う場合、装置のモデル名などを知らないユーザなどでは手間がかかってしまっていた。【解決手段】電源ＯＮを発光により示す発光部を備え、自装置の電源が入っている時に発光部からの発光信号により、自装置のアドレス情報を繰り返し出力するよう制御手段が上記発光部による発光を制御する。【選択図】図４
2010114492.tif 000002
【特許請求の範囲】
【請求項１】
ネットワークに接続して通信可能なネットワーク装置であって、
電源ＯＮを発光により示す発光部と、
前記ネットワーク装置の電源が入っている時に前記発光部からの発光信号により該ネットワーク装置のアドレス情報を繰り返し出力するよう前記発光部による発光を制御する制御手段と、を備えたことを特徴とするネットワーク装置。
【請求項２】
前記制御手段は、前記発光部による発光信号の平均光量を該信号のデータパターンによらず一定とさせる所定の補正用光信号を、前記発光部に該データパターンの出力後に出力させることを特徴とする請求項１記載のネットワーク装置。
【請求項３】
前記制御手段は、前記発光部からの発光信号による前記アドレス情報をランダムな時間間隔で出力することを特徴とする請求項１または２記載のネットワーク装置。
【請求項４】
ネットワークに接続して通信可能なネットワーク装置であって、
電源ＯＮを発光により示す発光部と、
前記発光部を受光素子として用いる光信号検出手段と、
前記ネットワーク装置の電源が入っていて前記光信号検出手段により所定の光信号が検出された時に、前記発光部からの発光信号により該ネットワーク装置のアドレス情報を出力するよう前記発光部による発光を制御する制御手段と、を備えたことを特徴とするネットワーク装置。
【請求項５】
パスワードを所定処理により生成するパスワード生成手段を備え、
前記制御手段は、該生成されたパスワードを前記アドレス情報と共に前記発光部からの発光信号により送出し、前記ネットワークを介して受信したパスワードが前記パスワード生成手段により生成されたパスワードと一致する場合に印刷指示を受け付けできるようにすることを特徴とする請求項１から４の何れか１項に記載のネットワーク装置。
【請求項６】
請求項１から５の何れか１項に記載のネットワーク装置と、
光信号を送受信する光送受信部および受信された信号からアドレス情報を解析する信号解析部を少なくとも有する光通信ユニットと、を備えたことを特徴とする光通信システム。
【発明の詳細な説明】
【技術分野】
【０００１】
本発明は、ネットワークを介して通信可能なネットワーク装置および光通信システムに関する。
【背景技術】
【０００２】
近年、プリンタ、スキャナーやカメラなどネットワーク接続に対応した様々なネットワーク装置が登場しており、複数の人で装置を共有利用するとか遠隔地にある装置を利用するといったことが容易に行えるようになった。そしてこのようなネットワーク装置を利用する場合、アプリケーションソフトやドライバソフトにより、予めネットワークへの接続設定を済ませておいてから利用するのが一般的な方法である。
【０００３】
また、本発明の関連技術として、通信接続を容易にするために装置を探索するためのブロードキャストを発信し応答のあった装置をリスト表示して、その中から目的の装置をユーザが選択し、通信接続するようにしたものがある（例えば、特許文献１参照）。
【０００４】
また、こうしたブロードキャストを用いて通信接続するものとして、ボタンを押すなど所定の操作がなされた装置だけが応答し、ブロードキャストによる探索において目的の装置を限定できるようにするものがある（例えば、特許文献２参照）。
【特許文献１】特開２００７−４９２７１号公報
【特許文献２】特開２００５−９４０５２号公報
【発明の開示】
【発明が解決しようとする課題】
【０００５】
しかしながら、上述のように予めネットワークへの接続設定を済ませておいてから利用する方式では、例えば出先でノートＰＣから目前にあるプリンタへ印刷したい場合など、一過性の装置間通信ができず、不便となる虞がある。
また、目前にあるネットワーク装置と一過性の装置間通信を行うために、ユーザがＩＰアドレスを目視して手動で入力するのでは、入力や設定に手間がかかり、不便である。
【０００６】
また、上述した特許文献１のものは、表示されるリストの装置と実際の装置との紐付け判断を人が行う必要があり、モデル名や設置場所など目前の装置のことを知らないユーザでも便利に使えるようにすることについてまで考慮されたものではなかった。
【０００７】
また、上述した特許文献２のものは、目的の装置が異なるサブネットワークに接続されているとブロードキャストに反応しない虞があった。
【０００８】
こうした特許文献１，２のもののように、ブロードキャストを利用する方法は場合により無線でネットワーク接続したホストから有線で接続した目前の装置を検出できないといった問題を起こす虞がある。これは無線ＬＡＮと有線ＬＡＮではサブネットワークアドレスが異なることが多く、ブロードキャストはサブネットワーク内の装置しか探索できないといった制限があるためである。
【０００９】
本発明はこのような状況に鑑みてなされたものであり、装置のモデル名などを知らないユーザであっても、装置の属するサブネットワークに関係なく、他の装置との一過性の装置間通信を容易にできるネットワーク装置および光通信システムを提供することを目的とする。
【課題を解決するための手段】
【００１０】
かかる目的を達成するために、本発明に係るネットワーク装置は、ネットワークに接続して通信可能なネットワーク装置であって、電源ＯＮを発光により示す発光部と、上記ネットワーク装置の電源が入っている時に上記発光部からの発光信号により該ネットワーク装置のアドレス情報を繰り返し出力するよう上記発光部による発光を制御する制御手段と、を備えたことを特徴とする。
【００１１】
また、本発明に係る光通信システムは、上述した本発明に係るネットワーク装置と、光信号を送受信する光送受信部および受信された信号からアドレス情報を解析する信号解析部を少なくとも有する光通信ユニットと、を備えたことを特徴とする。
【発明の効果】
【００１２】
以上のように、本発明によれば、装置のモデル名などを知らないユーザであっても、装置の属するサブネットワークに関係なく、他の装置との一過性の装置間通信を容易にできるようになる。
【発明を実施するための最良の形態】
【００１３】
次に、本発明に係るネットワーク装置および光通信システムをプリンタ装置やプリンタシステムに適用した一実施形態について、図面を用いて詳細に説明する。
本実施形態では、プリンタ装置の前にいるユーザがノートＰＣからファイルを印刷する場合を例にあげて説明する。
【００１４】
本実施形態のプリンタシステムの構成例を図１に示す。
第一のサブネットワーク４００ａはイーサネット（登録商標）によるＩＰネットワークで、複数台のプリンタ１００が接続されている。図示されていないが第一のサブネットワーク４００ａにはルータ装置も接続されており、他のサブネットワークとの通信が可能になっている。
第二のサブネットワーク４００ｂには無線アクセスポイント３００が接続されていて、ノートＰＣ２００は無線アクセスポイント３００を介してネットワークに接続されている。
【００１５】
ノートＰＣ２００がプリンタ１００を探索するためのブロードキャストを発信しても、サブネットワーク４００間にあるルータ装置がブロードキャストをブロックしてしまい、プリンタ１００には届かない。これはルータ装置の設定にもよるが、多くの場合ブロードキャストのルーティングが禁止されているためである。
【００１６】
このため、本実施形態ではその解決のため、ノートＰＣ２００がＬＥＤを使った光通信によりプリンタ１００からＩＰアドレス（アドレス情報）を受け取り、所望のプリンタ１００とネットワーク通信を開始する。
なお、本実施形態ではプリンタ１００から受け取るアドレス情報をＩＰアドレスとしているが、ＤＮＳサーバが用意された環境を想定すれば、ＵＲＬやホスト名であってもよい。
【００１７】
ノートＰＣ２００はＵＳＢ接続による可視光の光通信ユニット２０１を装備しており、印刷アプリケーションプログラムが光通信によるＩＰアドレスの受信を監視している。
この光通信ユニット２０１は、光信号を送受信する光送受信部と、受信された信号を解析する信号解析部とを備え、受信した光信号からＩＰアドレスを解析し、ノートＰＣ２００に送信する。
【００１８】
光通信ユニット２０１によりＩＰアドレスが受信されたことが印刷アプリケーションプログラムで検出されると、印刷アプリケーションプログラムはウェブブラウザを起動し、取得したＩＰアドレスを設定しＨＴＴＰ通信を実施する。
【００１９】
起動されたウェブブラウザによりプリンタ１００との通信が成功すると、ウェブブラウザには図２のようなページが表示され、印刷ファイル名、印刷部数、印刷色、用紙サイズ、印刷方向、縮小拡大、集約といった設定項目それぞれについて設定可能となる。これら各設定項目が設定され、印刷開始ボタンがクリックされると、指定されたファイルが指定された条件に従ってプリンタ１００から印刷されて出力される。
【００２０】
図３は、プリンタ１００の構成例を示すブロック図である。
ＣＰＵ１０６は、ＲＯＭ１０７に格納されたプログラムに従ってＲＡＭ１０８などと共に動作し、本プリンタ１００全体をコントロールする制御手段として機能する。ＲＡＭ１０８はプログラム変数や印刷データを格納する。
【００２１】
画像処理部１０１は、圧縮データの展開や縮小、拡大、集約などを行う。印刷処理部１０２は、画像処理部１０１で生成されたイメージデータを紙に印刷する。機構制御部１０３は紙送りや印刷ヘッドなどの動作を制御する。操作スイッチ１０４と表示ＬＥＤ１０５は、ＣＰＵポートに接続されており、紙の排出操作やエラーの表示などに利用される。
電源ＬＥＤ（発光部）１１０は、装置の電源が入ると点灯し、切れると消灯することでユーザに装置の電源状態を知らせる。変調部１０９は、電源ＬＥＤ１１０から送信する情報をパルス変調する。
【００２２】
ネットワーク通信部１１１は、イーサネット（登録商標）によりＩＰ通信を行う機能を備え、印刷データの受信などを行う。また外部へウェブサーバが公開され、印刷ドライバが不要なウェブブラウザを使った簡単な印刷を可能にしている。
【００２３】
図４は、電源ＬＥＤ１１０からＩＰアドレスを送信する動作を示すフローチャートである。
まず、本実施形態のプリンタ１００に電源が入れられると、電源ＬＥＤ１１０を点灯させる（ステップＳ１）。点灯は変調部１０９からの信号により行われる。次に、ＣＰＵ１０６などによる制御手段は、装置の電気的及び機械的な初期化を行い（ステップＳ２）、ＤＨＣＰサーバからＩＰアドレスの取得を行うか、以前に設定され不揮発メモリに保存しているＩＰアドレスを取得する（ステップＳ３）。最後にウェブサーバを起動したら（ステップＳ４）、割り込み処理により電源ＬＥＤ１１０からＩＰアドレスを繰り返し送出する（ステップＳ５）。
【００２４】
図５と図６を参照して、電源ＬＥＤ１１０から送出される光信号について説明する。
図５は信号レベルがＨｉｇｈとＬｏｗの時の発光波形を示すものであり、ＴＶなどに使用される多くの赤外線リモコンと同じである。Ｈｉｇｈレベルは３８ｋＨｚの光パルスであり、ノートＰＣ２００の光通信ユニット２０１に内蔵されるバンドパスフィルタを用いることで、弱い信号や外乱光の中から確実に検出できる。Ｌｏｗレベルは無発光である。図６にデータに対するデータ信号波形を示す。データ信号はリーダ部に続くデータ部で構成される。
【００２５】
また、本実施形態の構成では、さらに光量補正部（補正用光信号）を付加することが好ましい。
データ信号のリーダー部は、図６に示すように、１１Ｔの時間のＬｏｗレベルと１１ＴのＨｉｇｈレベルで形成され、データの先頭を検出するために利用される。データ部はデータ０とデータ１を異なる長さのパルスで表す。データ０は１Ｔの時間のＬｏｗパルスの次に１ＴのＨｉｇｈパルスが続き、データ１は１ＴのＬｏｗパルスの次に３ＴのＨｉｇｈパルスが続く。
【００２６】
光量補正部のデータ１はＬｏｗとＨｉｇｈの長さが入れ替わり３ＴのＬｏｗパルスの次に１ＴのＨｉｇｈパルスが続く。データ０はＬｏｗとＨｉｇｈの長さが同じなので変わらない。これにより平均的な発光時間が一定となりデータパターンによらず、安定した光量の発光が得られる。Ｔは約２３０μｓである。
【００２７】
また光量補正部はデータ部と同じデータを送信しているので、両者のデータが同じかどうかをチェックしデータの信頼性を上げることができる。また光量補正においてデータ０は寄与しないのでデータ送信時間を短縮したい場合はデータ１のみを送信するフォーマットも考えられる。この場合でもデータ１の数によるデータの信頼性チェックが可能である。
【００２８】
次に、図７，図８，図９を参照して、他のプリンタ１００からの光信号と混信してＩＰの受信ができなくなることを避けるための動作について説明する。
【００２９】
図７に示すように、電源ＬＥＤ１１０は、制御手段による制御に基づいて、ＩＰアドレスを送出する状態と情報を送出しないで点灯して見える状態とを繰り返す。情報を送出しないで点灯して見える状態の時間を変化させることで、他のプリンタ１００による発光信号と同調して通信ができなくなる状態を防ぐことができる。この時間変化の幅はＩＰアドレス送出時間の数倍から数十倍であることが好ましい。
【００３０】
図８は、電源ＬＥＤ１１０がＩＰアドレスの送出と、情報を送出しない点灯状態とを繰り返す動作を示すフローチャートである。電源ＬＥＤ１１０からＩＰアドレスを送出すると（ステップＳ１１）、制御手段は、図９に示すようなパルス信号で電源ＬＥＤ１１０を点灯させる（ステップＳ１２）。次に制御手段は、所定範囲のランダムな時間を乱数を用いて算出し（ステップＳ１３）、この時間経過するまで待ってＩＰアドレスの送出に戻る（ステップＳ１４、Ｓ１５）。
【００３１】
図９は、情報を送出しないで電源ＬＥＤ１１０を点灯させる時のパルス信号であり、４分の１デューティで１００Ｈｚの信号となっている。パルス周期を３８ｋＨｚに比べ長くすることで、他の装置の通信信号への影響を小さくできる。そして平均発光時間がＩＰアドレスを送出しているときと同じになるので、ちらつきを防止することができる。
【００３２】
次に、本実施形態の他の構成例について、図１０、図１１を参照して説明する。
この他の構成例は、情報の送出要求があったときだけ電源ＬＥＤ１１０からＩＰアドレスを送出するようにするものである。しかし、受光素子を新たに設けるとコストアップ要因になったり、小さな装置では設置できないといった物理的な制約も発生してくる虞がある。このため、本実施形態では電源ＬＥＤ１１０を受光素子として利用することでこれらの問題を解決する。多くの高輝度ＬＥＤは発電効果があり、強い光を当てれば１Ｖ程度の電圧を発生させるので、光信号の受光素子として十分に利用できる。
【００３３】
図１０は、他の構成例における上述した構成例とは異なる部分を示すブロック図である。
ＣＰＵ１０６は変調部１０９へ電源ＬＥＤ１１０から送出する情報とその送出指示を出す。変調部１０９は図５、図６を用いて上述したような変調を行い、電源ＬＥＤ１１０の電流を制御するトランジスタスイッチを駆動する。
【００３４】
またＣＰＵ１０６は変調部１０９を通してトランジスタスイッチを任意にＯＮ／ＯＦＦできる。電源ＬＥＤ１１０はトランジスタスイッチがＯＮになり電流が流れると発光するが、トランジスタスイッチがＯＦＦになると外部光を受けて電圧を発生する。その信号を増幅部で増幅しフィルタ部で３８ｋＨｚのバンドパスフィルタをかける。最後に２値化部でデジタル信号にしてＣＰＵ１０６に送る。
【００３５】
図１１は、電源ＬＥＤ１１０を受光素子として用いて検出された光信号をトリガにしてＩＰアドレスを送出する動作を示すフローチャートである。図１１中、ｔ１は２．５ｍｓ、ｔ２は７．５ｍｓとする。
【００３６】
まず制御手段は、トランジスタスイッチをＯＮにし電源ＬＥＤ１１０を点灯させる（ステップＳ２１）。ｔ１時間待った後にトランジスタスイッチをＯＦＦにし電源ＬＥＤ１１０を消灯させる（ステップＳ２２，Ｓ２３）。
【００３７】
次に電源ＬＥＤ１１０で３８ｋＨｚ信号を受光すると出力される受信信号のＨｉｇｈレベルをＣＰＵ１０６で監視し、受信信号がＨｉｇｈレベルであればその継続時間をｔ３として計測する（ステップＳ２４）。ｔ２時間経過後、ｔ３とｔ２が誤差範囲で等しい場合は受信信号がＬｏｗになるのを待ち（ステップＳ２７）、Ｌｏｗになると制御手段は電源ＬＥＤ１１０からＩＰアドレスを送出する（ステップＳ２８）。
【００３８】
ｔ３とｔ２が誤差範囲で等しくない場合やＩＰアドレスを送出したあとは電源ＬＥＤ１１０を点灯する処理に戻る。つまり電源ＬＥＤ１１０は図９のようなパルスで点灯されており、その消灯時間の７．５ｍｓの間に３８ｋＨｚ信号を受光することで、上述した図１１のフローによりＩＰアドレスを出力する。
【００３９】
次に、上述した各構成例で、パスワードを用いてセキュリティを確保できるようにする構成について、図１２、図１３を参照して説明する。
【００４０】
図１２は、電源ＬＥＤ１１０からＩＰアドレスとパスワードを送出する動作を示すフローチャートである。
本プリンタ１００に電源が入れられると、制御手段は電源ＬＥＤ１１０を点灯させる（ステップＳ３１）。次に制御手段はプリンタ１００の電気的及び機械的な初期化を行い（ステップＳ３２）、ＤＨＣＰサーバからＩＰアドレスの取得を行うか、以前に設定されて装置内の不揮発メモリに保存しているＩＰアドレスを取得する（ステップＳ３３）。ウェブアクセスを制限するためのパスワードを所定処理により生成したら（ステップＳ３４）ウェブサーバを起動し（ステップＳ３５）、その後、割り込み処理により電源ＬＥＤ１１０からＩＰアドレスとパスワードを繰り返し送出する（ステップＳ３６）。
【００４１】
なお、図１０、図１１を用いて上述した他の構成例の場合、上述したステップＳ３６の動作に替えて、検出された光信号をトリガにしてＩＰアドレスとパスワードを送出する動作であってよい。
【００４２】
送出したＩＰアドレスへウェブブラウザからアクセスがあると、ネットワーク通信部１１１を介して、図１３に例示するようなアクセス認証ページを送信する。この認証ページ画面によりノートＰＣ２００から入力されたパスワードが、ステップＳ３６により電源ＬＥＤ１１０から送出したパスワードと一致すれば、制御手段はネットワーク通信部１１１を介して上述した図２のような印刷設定用ページデータを送信し、印刷指示を受け付けできるようにする。パスワードが一致しない場合、印刷設定用ページを表示させず、印刷指示を受け付けないようにする。
【００４３】
次に、本実施形態の概要について説明する。
一般に、目前の装置とネットワークで確実に通信を行うためにはネットワーク以外の手段で直接アドレス情報を得られると良い。そして利便性のためにはディスプレイや操作パネルを備える大型で高価な装置から操作ボタンなどない小型で安価な装置まで共通なインターフェースであることが望ましい。そのためには既存の装置構成を大きく変えることなく、どんな装置にもあるデバイスでアドレス情報を通知するインターフェースを形成する必要がある。
【００４４】
このため、上述した実施形態のネットワーク装置では、ウェブサーバ機能によりネットワークに接続されたブラウザとデータを送受信する手段、自装置のＩＰアドレスを自動取得または手動設定する手段、装置の電源が入ると点灯し、切れると消灯する電源ＬＥＤ表示手段、出力情報に応じて前記電源ＬＥＤの発光を変調する手段とを有し、装置の電源が入っている時に前記電源ＬＥＤの発光信号によりブラウザがウェブサーバへ接続するためのアドレス情報を繰り返し出力するようにしている。
【００４５】
このため、本実施形態によれば、ネットワークに接続された装置間でＩＰ通信によりデータの送受信を行う装置として、特に近接した装置間で容易に通信を行うことができる。
また、装置のモデル名などを知らないユーザであっても、装置の属するサブネットワークに関係なく、ネットワークに接続された２台の装置が近接する状態でさえあれば、一過性の装置間通信を容易にできる。
このため、ユーザは目前のネットワーク装置を簡単に利用できるようになる。また、ネットワークで通信を行うために必要なアドレス情報の出力が安価に実現できる。そして、非常に多くのネットワーク装置が共通の手段として採用できる。
【００４６】
また、一般に、ＴＶのリモコンなど、光で情報を伝達する場合の変調方式はパルス位置変調（ＰＰＭ）が多く用いられてる。これは情報の１と０をパルスの長さで区別しており、情報のパターンによって平均的な発光時間と消灯時間が変化してしまうためで、ＬＥＤがちらつく原因となる。
【００４７】
そこで、本実施形態では、光量が一定になるように補正信号を出力している。
このため、上述した実施形態のネットワーク装置は、パルスデューティを変更可能な変調手段をさらに有し、発光信号の平均光量がデータパターンによらず一定になるように所定のデータを出力後に光量を補正するための光信号を出力することが好ましい。
この構成によれば、電源ＬＥＤ１１０からアドレス情報を出力しているときに発光がちらつくのを防止できる。
【００４８】
また、複数のプリンタ装置が並んでいたりすると、光信号が混信して情報を伝達できなくなる虞がある。
このため、上述した構成に加え、タイミング生成手段を有し、アドレス情報をランダムな間隔で間欠的に出力することが好ましい。
【００４９】
このように、情報を送出しない時間を作ることで混信を防ぐことができる。このため、電源ＬＥＤ１１０からアドレス情報を出力するネットワーク装置が近くに複数台あっても、安定した光通信を行うことができる。
【００５０】
また、本実施形態のネットワーク装置は、ウェブサーバ機能によりネットワークに接続されたブラウザとデータを送受信する手段、自装置のＩＰアドレスを自動取得または手動設定する手段、装置の電源が入ると点灯し、切れると消灯する電源ＬＥＤ表示手段、前記電源ＬＥＤを受光素子とする光信号検出手段、出力情報に応じて前記電源ＬＥＤの発光強度で変調する手段とを有し、装置の電源が入っている時に前記電源ＬＥＤの発光信号によりブラウザがウェブサーバへ接続するためのアドレス情報を所定の光信号を受信したときに出力するようにしてもよい。
【００５１】
この構成では、情報の送出要求があった時だけ情報を送出するため、上述した効果を同様に得られると共に、混信を防止するための情報を送出しない時間に待つ必要がないため、アドレス情報の取得をより高速に行うことができる。
【００５２】
また、ネットワーク装置はどこからでも利用できることが利点としてあげられるが、場合によっては装置の前に居る人を優先したいとか装置の前に居る人だけが利用できるといった使い方も考えられる。
【００５３】
こうした用途のため、上述した構成に加え、パスワード生成手段と、パスワードによるウェブアクセスの制限手段とを有し、生成されたパスワードを電源ＬＥＤ１１０の発光信号により出力するようにすることが好ましい。
このように、アドレス情報と同時にパスワード情報も送信することで、装置の前に居る人を判別可能にできる。このため、装置の前にいるユーザだけがそのネットワーク装置を利用できるように制限をかけることができる。
【００５４】
なお、上述した各実施形態は本発明の好適な実施形態であり、本発明はこれに限定されることなく、本発明の技術的思想に基づいて種々変形して実施することが可能である。
例えば、上述した実施形態としてのネットワーク装置やプリンタシステムを実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００５５】
この本発明に係るプログラムによれば、当該プログラムによって制御されるネットワーク装置やプリンタシステムに、上述した実施形態における各機能を実現させることができる。
【図面の簡単な説明】
【００５６】
【図１】本発明の実施形態としてのプリンタシステムの構成例を示す図である。
【図２】印刷設定の画面表示例を示す図である。
【図３】プリンタ１００の構成例を示すブロック図である。
【図４】電源ＬＥＤからＩＰアドレスを送信する動作を示すフローチャートである。
【図５】信号レベルがＨｉｇｈとＬｏｗの時の発光波形を示すものである。
【図６】電源ＬＥＤによるデータ信号波形の例を示す図である。
【図７】電源ＬＥＤからのＩＰアドレス送出の有無状態の構成例を示す図である。
【図８】電源ＬＥＤがＩＰアドレス送出の有無を繰り返す動作例を示すフローチャートである。
【図９】データ送出を行わない状態でのパルス信号例を示す図である。
【図１０】他の構成例を示すブロック図である。
【図１１】光信号検出をトリガにしてＩＰアドレスを送出する動作を示すフローチャートである。
【図１２】電源ＬＥＤからＩＰアドレスとパスワードを送出する動作を示すフローチャートである。
【図１３】アクセス認証ページの画面例を示す図である。
【符号の説明】
【００５７】
１００    プリンタ
１０１    画像処理部
１０２    印刷処理部
１０３    機構制御部
１０４    操作スイッチ
１０５    表示ＬＥＤ
１０６    ＣＰＵ
１０９    変調部
１１０    電源ＬＥＤ
１１１    ネットワーク通信部
２００    ノートＰＣ
２０１    光通信ユニット
３００    無線ＡＰ（アクセスポイント）
４００    サブネットワーク
【図１】
2010114492.tif 000003
【図２】
2010114492.tif 000004
【図３】
2010114492.tif 000005
【図４】
2010114492.tif 000006
【図５】
2010114492.tif 000007
【図６】
2010114492.tif 000008
【図７】
2010114492.tif 000009
【図８】
2010114492.tif 000010
【図９】
2010114492.tif 000011
【図１０】
2010114492.tif 000012
【図１１】
2010114492.tif 000013
【図１２】
2010114492.tif 000014
【図１３】
2010114492.tif 000015